(57)【要約】      （修正有）【課題】見たい箇所だけ見え、かつ持ちやすく、直ぐに取り出し使用可能な手鏡を提供する。【解決手段】持ち運び可能な手鏡１００であって、本体１０と、本体の片面に取り付けられた鏡２０、又は両面に取り付けられた倍率が異なる２枚の鏡と、本体の端部の一方に設けられた蓋部３０と、本体を収納するケース４０と、を備え、本体をスライド可能とするために、本体の正面に有する突起５０と、突起が移動するためにケース正面に長穴６０とが設けられている。【選択図】図１
0003226203.tif 000002
【実用新案登録請求の範囲】
【請求項１】
持ち運び可能な手鏡であって、
本体と、
前記本体の片面に取り付けられた鏡、又は両面に取り付けられた倍率が異なる２枚の鏡と、
前記本体の端部の一方に設けられた蓋部と、
前記本体を収納するケースと、を備え、
前記本体をスライド可能とするために、前記本体の正面に有する突起と、該突起が移動するために前記ケース正面に有する長穴とが設けられていることを特徴とする手鏡。
【請求項２】
前記突起に代えて装飾部を備えることを特徴とする請求項１に記載の手鏡。
【請求項３】
前記突起の表面には、滑り止め部がさらに設けられていることを特徴とする請求項１に記載の手鏡。
【請求項４】
前記本体の端部のもう一方に設けられた本体基部に着脱可能な摩擦部を備えることを特徴とする請求項１〜３のいずれか１項に記載の手鏡。
【請求項５】
前記本体と前記ケースは一体不可分として使用されることを特徴とする請求項１〜４のいずれか１項に記載の手鏡。
【請求項６】
前記本体の前記両面に取り付けられた倍率が異なる２枚の鏡は、一方が等倍以下で、もう一方が拡大鏡であることを特徴とする請求項１〜５のいずれか１項に記載の手鏡。
【請求項７】
前記ケースは透明であることを特徴とする請求項１〜６のいずれか１項に記載の手鏡。
【請求項８】
前記ケースは柄付きであることを特徴とする請求項１〜７のいずれか１項に記載の手鏡。
【請求項９】
前記ケースの厚みが５〜１５ｍｍ、幅が１５〜３０ｍｍ、長さが４０〜１５０ｍｍであり、
前記本体の厚みが３〜１１ｍｍ、幅が１１〜２６ｍｍ、長さが３８〜１４８ｍｍであり、
前記蓋部の厚みが５〜１５ｍｍ、幅が１５〜３０ｍｍ、長さが２〜４ｍｍであることを特徴とする請求項１〜８のいずれか１項に記載の手鏡。
【考案の詳細な説明】
【技術分野】
【０００１】
本考案は、持ち運び可能な手鏡に関する。
【背景技術】
【０００２】
従来から、持ち運び可能な手鏡として、ファンデーションが収納された化粧コンパクトケースなどが挙げられる。
【０００３】
例えば、特許文献１では、化粧コンパクトケースのレフィルとスポンジを置く面の上部周囲四方にスリット（１）を設け、そこにスライドして動き、レフィルかスポンジどちらか一方が隠れるシャッター（２）を設けた化粧コンパクトケースが記載されている。
【０００４】
また、特許文献２では、化粧料が収容される第１収容部及び該第１収容部と隣接配置される第２収容部を有するケース本体と、該ケース本体に回動自在に結合された蓋体と、前記第１収容部と前記第２収容部とを仕切る仕切りシートとを備える化粧用コンパクトケースであって、前記ケース本体は、前記第１収容部及び前記第２収容部を有する収容部材を備え、前記仕切りシートは、前記第１収容部を被覆する第１被覆部及び該第１被覆部から延出する第１固定片を有する第１仕切りシートと、前記第２収容部を被覆する第２被覆部及び該第２被覆部から延出する第２固定片を有する第２仕切りシートとを備え、前記第１固定片及び前記第２固定片は、前記第１収容部及び前記第２収容部の間を介して前記収容部材の前記第１収容部の裏面側に配置し、かつ前記第１収容部の裏面で固定されている、化粧用コンパクトケースが記載されている。
【先行技術文献】
【特許文献】
【０００５】
【特許文献１】特開２０１２−５０８０５号公報
【特許文献２】特開２０１７−１６４０４１号公報
【考案の概要】
【考案が解決しようとする課題】
【０００６】
しかしながら、上記はあくまでも化粧コンパクトケースであり、ファンデーションを収納するため、ケースの大きさがある程度必要となり、大型化する。また、大型化するため、鏡も大きくなり、見たい箇所以外に不要な部分まで見えてしまい、かつ持ちやすい鏡とはいえず、開閉式のため鏡を取り出しすぐには使用することも困難であった。
【０００７】
そこで上記従来技術が有する問題に鑑み、見たい箇所だけ見え、かつ持ちやすく、直ぐに取り出し使用可能な手鏡を提供することを目的とする。
【課題を解決するための手段】
【０００８】
本考案の一態様に係る手鏡は、持ち運び可能な手鏡であって、本体と、前記本体の片面に取り付けられた鏡、又は両面に取り付けられた倍率が異なる２枚の鏡と、前記本体の端部の一方に設けられた蓋部と、前記本体を収納するケースと、を備え、前記本体をスライド可能とするために、前記本体の正面に有する突起と、該突起が移動するために前記ケース正面に有する長穴とが設けられていることを特徴とする。
【０００９】
このようにすれば、見たい箇所だけ見え、かつ持ちやすく、直ぐに取り出し使用可能な手鏡を提供することができる。
【００１０】
このとき、本考案の一態様では、前記突起に代えて装飾部を備えるとしてもよい。
【００１１】
このようにすれば、突起部が装飾となり、美感が優れる。
【００１２】
このとき、本考案の一態様では、前記突起の表面には、滑り止め部がさらに設けられているとしてもよい。
【００１３】
このようにすれば、スライド時に指が滑ることなく本体をスライドすることができる。
【００１４】
このとき、本考案の一態様では、前記本体の端部のもう一方に設けられた本体基部に着脱可能な摩擦部を備えてもよい。
【００１５】
このようにすれば、摩擦部の摩擦により本体のスライドが止まり、使用したい位置に応じて本体を取り出し、鏡を使用することができる。
【００１６】
このとき、本考案の一態様では、前記本体と前記ケースは一体不可分として使用されるとしてもよい。
【００１７】
このようにすれば、本体とケースが分離されないので、収納に便利である。
【００１８】
このとき、本考案の一態様では、前記本体の前記両面に取り付けられた倍率が異なる２枚の鏡は、一方が等倍以下で、もう一方が拡大鏡としてもよい。
【００１９】
このようにすれば、様々な倍率で鏡を使用することができ、用途が拡大する。
【００２０】
このとき、本考案の一態様では、前記ケースは透明としてもよい。
【００２１】
このようにすれば、本体をケースからスライドし出さなくても鏡が使用できる。
【００２２】
このとき、本考案の一態様では、前記ケースは柄付きとしてもよい。
【００２３】
このようにすれば、手鏡の美感に優れ、購買欲を惹起する。
【００２４】
このとき、本考案の一態様では、前記ケースの厚みが５〜１５ｍｍ、幅が１５〜３０ｍｍ、長さが４０〜１５０ｍｍであり、前記本体の厚みが３〜１１ｍｍ、幅が１１〜２６ｍｍ、長さが３８〜１４８ｍｍであり、前記蓋部の厚みが５〜１５ｍｍ、幅が１５〜３０ｍｍ、長さが２〜４ｍｍとしてもよい。
【００２５】
このようにすれば、ステッィク状となり、使用のしやすさが向上する。
【考案の効果】
【００２６】
本考案によれば、見たい箇所だけ見え、かつ持ちやすく、直ぐに取り出し使用可能な手鏡を提供することができる。
【図面の簡単な説明】
【００２７】
【図１】図１は、本考案の一実施形態に係る手鏡の本体をスライドさせ、本体の一部をケースから露出させた斜視図である。
【図２】図２は、本考案の一実施形態に係る手鏡の構成を表した概要図である。
【図３】図３は、本考案の一実施形態に係る手鏡の概略図であり、図３（Ａ）は正面図、図３（Ｂ）はＡ−Ａ断面図であり、図３（Ｃ）はＢ−Ｂ断面図である。
【図４】図４は、本考案の他の実施形態に係る手鏡の概略図である。
【図５】図５は、本考案の他の実施形態に係る手鏡の概略図である。
【図６】図６は、本考案の他の実施形態に係る手鏡の概略図である。
【考案を実施するための形態】
【００２８】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係る手鏡について、図を用いながら下記に説明する。
【００２９】
本考案の一実施形態に係る手鏡１００は、図１に示すように、持ち運び可能な手鏡であって、本体１０と、上記本体１０の片面に取り付けられた鏡２０、又は両面に取り付けられた倍率が異なる２枚の鏡と、上記本体１０の端部の一方に設けられた蓋部３０と、上記本体１０を収納するケース４０と、を備える。
【００３０】
本考案の一実施形態に係る手鏡１００は、図１に示すように、上記本体１０をスライド可能とするために、上記本体１０の正面に有する突起５０と、当該突起５０が移動するために上記ケース正面に有する長穴６０とが設けられていることを特徴とする。突起５０は、本体１０に固定され、突起５０を動かすと、それに伴い本体１０がスライドし、図１のようにケース４０から本体１０が露出される。このようにして、本発明の本考案の一実施形態に係る手鏡１００は、必要な本体１０の分だけケースから出して使用する。本考案の一実施形態に係る手鏡１００は、例えば、メイク直し時や目や口元の異物混入時の確認時などに最適である。
【００３１】
このようにすれば、見たい箇所だけ見え、かつ持ちやすく、直ぐに取り出し使用可能となる。また、本考案の一実施形態に係る手鏡１００は、本体１０の端部の一方に蓋部３０が設けられているので、本体１０をケース４０に見栄え良く収納できる。また、本体１０をケース４０から出すために、必要に応じて、蓋部３０を使用することもでき、さらに直ぐに取り出し使用可能となる。
【００３２】
さらに図２を用いて、本考案の一実施形態に係る手鏡１００の構成について詳細に説明する。
【００３３】
図２は、本考案の一実施形態に係る手鏡１００の構成を表した概要図である。図２に示すように、本体１０と、本体１０の片面に取り付けられた鏡２０と、本体の端部の一方に設けられた蓋部３０と、本体１０を収納するケース４０（４０ａ、４０ｂ）と、を備える。そして、本体１０をスライド可能とするために、本体１０の正面に有する突起５０と、突起５０が移動するためにケース４０（４０ａ、４０ｂ）正面に有する長穴６０とが設けられている。
【００３４】
なお、突起５０は本体基部４０側に設けられることが好ましいが、場合によっては、本体の中央に設けても良く、設ける位置を適宜変更してもよい。また、図２では、鏡２０が本体１０の片側にのみ設けているが、両面に設けても良く、係る場合、倍率が表裏や同一面で異なっても良い。さらに、片面又は両面に設けられた鏡は、同一面に１枚でも複数枚でも良く、またその形状は矩形、円形、四角形の２辺を半円状とした形状、四角形の角をなくして丸みを帯びた形状などでも良い。また、鏡は様々な倍率を適用することができる。
【００３５】
また、突起５０の表面には、滑り止め部５５がさらに設けられていることが好ましい。このようにすれば、スライド時に指が滑ることなく本体１０をスライドすることができる。滑り止め部５５は、突起５０の表面を凹凸の形状としたり、ゴムなどを貼り付けても良い。また、滑り止め部５５は、指の形状に合うように、曲面を設けることが好ましい。このようにすれば、よりスライド時に指が滑ることなく本体１０をスライドすることができる。
【００３６】
本体１０に取付される鏡２０は、図２に示すように、本体１０の窪みに鏡２０を貼り合わせ取り付ければよい。鏡２０が表裏や同一面に複数ある場合も同様である。
【００３７】
上記ケース４０は、１部品以上から構成されてもよく、図２に示すように、例えば２部品（正面側のケース４０ａと背面側のケース４０ｂ）から構成することが好ましい。このようにすれば、図１に示すような、本体１０をスライド可能とするための長穴６０を容易に形成することができる。また、上記ケース４０は、突起５０を移動するための長穴を形成できれば、３部品以上でも良い。なお、本体１０ケース４０、蓋部３０は、プラスチックで形成すればよく、成形や３Ｄプリンタなどで作成される。なお、本体１０、ケース４０、蓋部３０はゴムで形成してもよい。
【００３８】
図２に示すように、本体１０の端部のもう一方に設けられた本体基部３１に着脱可能な摩擦部７０を備えることが好ましい。このようにすれば、摩擦部７０とケース４０との摩擦により本体１０のスライドが止まり、使用したい位置に応じて、片手でも本体１０を無音で取り出し、鏡２０を使用することができる。また、摩擦部７０は本体基部３１の周囲に亘って設けても良い。なお、摩擦部７０の周囲に摩擦部７０を取り付けやすくするためのガイド８０を設けても良い。
【００３９】
摩擦部７０は、摩擦力が生じる部品であれば良く、天然ゴム、スチレン・ブタジエンゴム、イソプレンゴム、ブタジエンゴム、クロロプレンゴム、アクリルニトリル・ブタジエンゴム、ブチルゴム、エチレン・プロピレンゴム、エチレン・プロピレン・ジエンゴム、ウレタンゴム、フッ素ゴム、シリコーンゴムが挙げられ、中でもシリコンーゴムが好ましい。
【００４０】
摩擦部７０は、直接本体基部３１としても良いが、本体基部３１に着脱可能が好ましい。摩擦部７０は、ケース４０から本体１０を出し入れするときに摩耗するので、使用したい位置に本体１０を留めておくことができなくなる。そこで、着脱可能とすれば、摩擦力が弱くなった時に交換すれば、使用したい位置に本体１０を留めておくことができる。なお、摩擦部７０を直接本体基部３１とする場合、摩擦部７０にゴム素材の部材を直接取り付ければよい。また、本体１０とケース４０との摩擦力は、摩擦部７０の厚みや大きさによって調整され、本体１０の取り出しをきつくしたいときには、摩擦力を上げるために摩擦部７０の厚みや大きさを厚く又は大きくすればよく、ゆるくしたいときには、摩擦力を下げるために摩擦部７０の厚みや大きさを薄く又は小さくすればよい。
【００４１】
本体１０とケース４０は一体不可分として使用されることが好ましい。つまり、本体１０はケース４０と分離して使用されない。このようにすれば、本体１０とケース４０が分離されないので、収納に便利である。また、持ち運びにも便利である。
【００４２】
ケース４０は透明又は不透明であってもよい。このようにすれば、美感に優れる。透明の場合には、本体１０をケース４０からスライドし出さなくても鏡２０が使用できる。但しケース４０が指紋等でよごれ、透明度が落ちる場合には、本体１０をスライド４０させて鏡２０を使用する。
【００４３】
ケース４０は柄付きであることが好ましい。このようにすれば、手鏡の美感に優れ、購買欲を惹起する。
【００４４】
ケース４０の厚みｔ、幅ｘ、長さｙは、それぞれｔ＝５〜１５ｍｍ、ｘ＝１５〜３０ｍｍ、ｙ＝４０〜１５０ｍｍが好ましく、より好ましくはｔ＝７〜１２ｍｍ、ｘ＝２０〜２５、ｙ＝８０〜１２０ｍｍである。
【００４５】
本体１０は、ケース４０に収まる程度の大きさにすればよく、上記ケースの厚みｔ、幅ｘ、長さｙ（外寸）よりｘとｔは‐４ｍｍ程度、ｙは‐２ｍｍ程度小さくすればよく、すなわち、それぞれが３〜１１ｍｍ、１１〜２６ｍｍ、３８〜１４８ｍｍが好ましく、より好ましくは５〜８ｍｍ、１６〜２１ｍｍ、７８〜１１８ｍｍである。なお、上記の本体１０の寸法は蓋部を含めない。
【００４６】
蓋部３０の厚み、幅は、ケース４０の厚み及び幅と同じサイズであり、長さは、２〜４ｍｍが好ましい。上記の寸法にすれば、本考案の一実施形態に係る手鏡１００は、ステッィク状となり、使用のしやすさが向上する。
【００４７】
上記にも述べたが、図３（Ａ）に示すように、突起５０を図の右方向に移動させることで、本体１０がケース４０から取り出され、手鏡として使用できる。
【００４８】
鏡２０を複数にする場合、一方が等倍以下で、もう一方が拡大鏡であることが好ましい。このようにすれば、様々な倍率で鏡を使用することができ、用途が拡大する。例えば、一方が、０．５以下、０．６、０．７、０．８、１．０倍でありもう一方が１．３、１．４、１．５、１．６、１．７、１．８、１．９、２．０以上とすることができる。
【００４９】
また、本体１０又はケース４０にポケットにつけるためのクリップ（不図示）をさらに設けることが好ましい。このようにすれば、ポケットから手鏡１００を取り出しやすくできる。
【００５０】
図３（Ａ）に本考案の一実施形態に係る手鏡１００の正面図を示す。上述したが、突起５０は、本体１０の正面（手鏡１００の正面）に有する。また、図３（Ｂ）（Ｃ）に図３（Ａ）のＡ−Ａ断面図、Ｂ−Ｂ断面図を示す。このように、本体１０はケース４０（４０ａ、４０ｂ）に収納されている。また、鏡２０は、突起５０を有する面に設けられているが、突起５０を有する面と反対側の面に設けても良い。
【００５１】
また、鏡を表裏２枚設け、１方を拡大鏡とする場合、鏡を湾曲すればよい。所望する倍率によって鏡の形状を変化させる。
【００５２】
図４に示すように、蓋部３０の形状を半円としても良い。半円の他、蓋部３０の形状は、三角形状、アーチ形状、猫などの動物や動物の一部、アルファベットの形状としても良い。また、蓋部３０につまみをさらに設けても良い。
【００５３】
また、図５に示すように、ケース４０や鏡２０の形状を四角形の２辺を半円状としたものでも良く、四角形の角をなくして丸みを帯びた形状としても良い。
【００５４】
また、図６に示すように、突起５０に代えて装飾部９０を備えることとしても良い。装飾部９０は装飾的なもので良く、例えば、球、円柱、ハート、星、クリスタル、ダイヤ、アルファベット、取手形状、動物形状、動物の一部の形状が挙げられる。さらに装飾部９０にアクセサリーを取り付けても良い。勿論突起部にもアクセサリーを取り付けても良い。また、手鏡１００、１１０、１２０、１３０は、細長い長方形の他、正方形、円形、楕円形、三角形、多角形や太鼓状としても良い。本体や鏡の形状も同様である。また、ケース４０をクリスタルカット形状とすることも良い。
【００５５】
また、本考案の一実施形態に係る手鏡１００の突起は本体の正面（手鏡１００の正面）に設けられているが、本体の側面に設けても良い。係る場合の突起の形状、蓋部３０の形状、突起に代えて装飾部９０を設けたりすることは上述した通りである。
【００５６】
以上のように、本考案の一実施形態に係る手鏡１００によれば、見たい箇所だけ見え、かつ持ちやすく、直ぐに取り出し使用可能な手鏡を提供することができる。また、片手で鏡を使用することができる。
【００５７】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００５８】
例えば、明細書又は図面において、少なくとも一度、より広義又は同義な異なる用語と共に記載された用語は、明細書又は図面のいかなる箇所においても、その異なる用語に置き換えることができる。また手鏡の構成、動作も本考案の各実施形態及び各実施例で説明したものに限定されず、種々の変形実施が可能である。
【符号の説明】
【００５９】
１０  本体、２０  鏡、３０  蓋部、３１  本体基部、４０  ケース、４０ａ  正面側のケース、４０ｂ  背面側のケース、５０  突起、５５  滑り止め部、６０  長穴、７０  摩擦部、８０  ガイド、９０  装飾部、ｔ  ケースの厚み、ｘ  ケースの幅、ｙ  ケースの長さ、１００、１１０、１２０、１３０  手鏡
【図１】
0003226203.tif 000003
【図２】
0003226203.tif 000004
【図３】
0003226203.tif 000005
【図４】
0003226203.tif 000006
【図５】
0003226203.tif 000007
【図６】
0003226203.tif 000008